(57)【要約】【課題】様々な形状や構造等の被遮蔽体に対して放射線等の遮蔽体を施工可能な遮蔽体の施工方法及びその施工装置を提供する。【解決手段】流動性を有するゴムを、ゴム吹き付け装置によって被遮蔽体に吹き付けるゴム吹き付け工程と、前記ゴム吹き付け工程において吹き付けられたゴムに対して、粒状の遮蔽材を、遮蔽材吹き付け装置によって吹き付ける遮蔽材吹き付け工程とを含むことを特徴とする、遮蔽体の施工方法並びにそれを実施可能な遮蔽体の施工装置及び施工ロボット。【選択図】図１
2015055616.tif 000002
【特許請求の範囲】
【請求項１】
流動性を有するゴムを、ゴム吹き付け装置によって被遮蔽体に吹き付けるゴム吹き付け工程と、
前記ゴム吹き付け工程において吹き付けられたゴムに対して、粒状の遮蔽材を、遮蔽材吹き付け装置によって吹き付ける遮蔽材吹き付け工程とを含むことを特徴とする、遮蔽体の施工方法。
【請求項２】
前記被遮蔽体は原子力設備の構造物であり、
前記遮蔽材は放射線を遮蔽する材料であることを特徴とする、請求項１に記載の遮蔽体の施工方法。
【請求項３】
前記遮蔽材は金属材料を含むことを特徴とする、請求項１又は２に記載の遮蔽体の施工方法。
【請求項４】
前記ゴム吹き付け工程と前記遮蔽材吹き付け工程とは交互に行われ、前記ゴムと前記遮蔽材とが積層されてなる遮蔽体が形成されることを特徴とする、請求項１又は２に記載の遮蔽体の施工方法。
【請求項５】
前記遮蔽材は、粒径の異なる遮蔽材を含むことを特徴とする、請求項１又は２に記載の遮蔽体の施工方法。
【請求項６】
前記遮蔽材は、複数種の遮蔽材を含むことを特徴とする、請求項１又は２に記載の遮蔽体の施工方法。
【請求項７】
前記遮蔽材を前記被遮蔽体に吹き付けた後、前記ゴム吹き付け工程と前記遮蔽材吹き付け工程とを行うことを特徴とする、請求項１又は２に記載の遮蔽体の施工方法。
【請求項８】
被遮蔽体に対して流動性を有するゴムを吹き付け可能であり、交換可能なゴム吹き付けノズルと、
前記ゴム吹き付けノズルに接続され、前記ゴム吹き付けノズルを通じて前記被遮蔽体に前記ゴムを吹き付けるゴム吹き付け装置と、
前記ゴム吹き付けノズルとは別のノズルとして設けられ、前記ゴム吹き付けノズルから吹き付けられたゴムに対して粒状の遮蔽材を吹き付け可能な遮蔽材吹き付けノズルと、
前記遮蔽材吹き付けノズルに接続され、前記遮蔽材吹き付けノズルを通じて前記被遮蔽体に前記遮蔽材を吹き付ける遮蔽材吹き付け装置と、
前記ゴム吹き付けノズル及び前記遮蔽材吹き付けノズルを支持するとともに、前記ゴム吹き付けノズル及び前記遮蔽材吹き付けノズルを前記被遮蔽体に対向可能な支持部材とを備えることを特徴とする、遮蔽体の施工装置。
【請求項９】
被遮蔽体に対して流動性を有するゴムを吹き付け可能であり、交換可能なゴム吹き付けノズルと、
前記ゴム吹き付けノズルとは別のノズルとして設けられ、前記ゴム吹き付けノズルから吹き付けられたゴムに対して粒状の遮蔽材を吹き付け可能な遮蔽材吹き付けノズルと、
前記ゴム吹き付けノズル及び前記遮蔽材吹き付けノズルを支持するとともに、前記ゴム吹き付けノズル及び前記遮蔽材吹き付けノズルを前記被遮蔽体に対向可能な支持部材とを備えることを特徴とする、遮蔽体の施工ロボット。
【発明の詳細な説明】
【技術分野】
【０００１】
本発明は、遮蔽体の施工方法並びにその施工装置及び施工ロボットに関する。
【背景技術】
【０００２】
例えば放射線量の高い部屋で作業を行う場合、放射線を放出する部材（被遮蔽体）を遮蔽体で覆うことが好ましい。これにより、作業員に照射される放射線量を低減することができる。
【０００３】
このような遮蔽技術に関連して、特許文献１がある。特許文献１には、被遮蔽体の所定部位に中空の容器を設置する工程と、次に、流体送出手段によりホースを介して容器内に流体を送り出す工程と、次に、遮蔽材供給手段により流体に粒状の遮蔽材を供給しホースを介して容器内に遮蔽材を搬送し充填する工程とを含む放射線遮蔽方法が記載されている。
【先行技術文献】
【特許文献】
【０００４】
【特許文献１】特開２０１０−１５６６１５号公報
【発明の概要】
【発明が解決しようとする課題】
【０００５】
特許文献１に記載の技術においては、粒状の遮蔽材が流体とともに充填された中空容器が、被遮蔽体を取り囲むように配置されることで、被遮蔽体の遮蔽が行われている。そのため、被遮蔽体の大きさや形状、位置等によっては中空容器を配置することが困難なことがある。即ち、特許文献１に記載の技術においては、遮蔽体を施工可能な被遮蔽体に制限がある。
【０００６】
本発明は前記課題に鑑みて為されたものであり、本発明が解決しようとする課題は、様々な形状や構造等の被遮蔽体に対して放射線等の遮蔽体を施工可能な遮蔽体の施工方法並びにその施工装置及び施工ロボットを提供することである。
【課題を解決するための手段】
【０００７】
本発明者らは前記課題を解決するべく鋭意検討を行った。その結果、ゴムと遮蔽材とを別々に被遮蔽体に吹き付け、被遮蔽体表面に遮蔽体を形成することで前記課題を解決できることを見出した。
【発明の効果】
【０００８】
本発明によれば、様々な形状や構造等の被遮蔽体に対して放射線等の遮蔽体を施工可能な遮蔽体の施工方法並びにその施工装置及び施工ロボットを提供することができる。
【図面の簡単な説明】
【０００９】
【図１】本実施形態の遮蔽体の施工方法が実施される原子炉建屋の室内を示す図である。
【図２】本実施形態の遮蔽体の施工方法を説明するフローチャートである。
【図３】本実施形態の遮蔽体の施工方法を説明する図であり、（ａ）は一回目のゴムの吹き付け時の様子、（ｂ）は一回目の遮蔽材の吹き付け時の様子、（ｃ）は二回目のゴムの吹き付け時の様子、（ｄ）は二回目の遮蔽材の吹き付け時の様子を示す図である。
【図４】本実施形態の施工方法により施工された遮蔽体の断面図である。
【図５】本実施形態の施工方法により施工された別の遮蔽体の断面図である。
【発明を実施するための形態】
【００１０】
以下、図面を適宜参照しながら、本発明を実施するための形態（本実施形態）を説明する。
【００１１】
まず、本実施形態の遮蔽体の施工方法により施工（形成）される遮蔽体は、放射線（α線、β線及びγ線）のほか、中性子、太陽光（紫外線、赤外線、遠赤外線等）等、遮蔽材の種類に応じて、任意のものを遮蔽することができる。中でも、本実施形態においては、放射線が遮蔽されることが好ましい。そこで、一例として、遮蔽体が放射線を遮蔽するものとして、以下の本実施形態を説明する。
【００１２】
また、放射線を遮蔽する遮蔽体の施工場所、即ち、本実施形態の遮蔽体の施工方法が実施される部材としては、例えば、原子力設備の構造物が挙げられる。そこで、以下の説明においては、原子力設備の構造物として、原子炉建屋の室内の構造物（原子力設備の構造物）に対して遮蔽体が施工される場合を例に挙げて、本実施形態を説明する。
【００１３】
図１は、本実施形態の遮蔽体１０の施工方法が実施される原子炉建屋の室内１を示す図である。本実施形態では、原子力設備（図示しない）に不測の事故が発生し、室内１の配管２（被遮蔽体、原子力設備の構造物）に放射性物質が付着したため室内１の放射線量が高く、作業員が立ち入ることができない場合を想定している。そして、図１は、施工装置２００に備えられる施工ロボット１００により当該放射性物質から発せられる放射線を遮蔽する遮蔽体１０を施工する様子を示している。
【００１４】
施工装置２００は、施工ロボット１００と、ゴム吹き付け装置１０２と、遮蔽材吹き付け装置１０４とを備えている。施工ロボット１００は、配管２に近づいて遮蔽体１０を施工するものである。また、ゴム吹き付け装置１０２は、施工ロボット１００から吹き付けられるゴムを施工ロボット１００に供給し、ゴムを吹き付けるための動力源となるものである。さらに、遮蔽材吹き付け装置１０４は、施工ロボット１００から吹き付けられる遮蔽材を施工ロボット１００に供給し、遮蔽材を吹き付けるための動力源となるものである。
【００１５】
施工ロボット１００は、配管２に対してゴムを吹き付け可能なゴム吹き付けノズル１０１を備えている。ゴム吹き付けノズル１０１は、長大なホースにより、ゴム吹き付け装置１０２に接続されている。これにより、ゴム吹き付け装置１０２が配管２から十分に離間した状態で、施工ロボット１００が配管２に近づけるようになっている。
【００１６】
ゴム吹き付けノズル１０１は、交換可能になっている。即ち、遮蔽体１０の施工が完了し、施工ロボット１００を保管していると、流路が狭くなっているゴム吹き付けノズル１０１の先端が詰まってしまうことがある。そこで、このような状態を解消するために、ゴム吹き付けノズル１０１は交換可能に構成されている。このようなノズルとして、例えば樹脂製の使い捨てノズルをゴム吹き付けノズル１０１として用いることが可能である。
【００１７】
また、施工ロボット１００は、ゴム吹き付けノズル１０１とは別のノズルとして設けられ、ゴム吹き付けノズル１０１から吹き付けられたゴムに対して遮蔽材を吹き付け可能な遮蔽材吹き付けノズル１０３を備えている。遮蔽材吹き付けノズル１０３も、ゴム吹き付けノズル１０１と同様に長大なホースにより、遮蔽材吹き付け装置１０４に接続されている。これにより、遮蔽材吹き付け装置１０４が配管２から十分に離間した状態で、施工ロボット１００が配管２に近づけるようになっている。
【００１８】
遮蔽材吹き付けノズル１０３は、強度の高い材料で構成されている。これにより、タングステンや鉄等の硬度の高い遮蔽材が遮蔽材吹き付けノズル１０３から放出される場合でも、遮蔽材吹き付けノズル１０３の耐久性を維持向上させることができるようになっている。
【００１９】
施工ロボット１００におけるゴム吹き付けノズル１０１及び遮蔽材吹き付けノズル１０３は、伸縮自在なアーム１０５に回転可能に支持されている。これにより、ゴム及び遮蔽材は、配管２に対して、任意の位置に吹き付けられるようになっている。
【００２０】
施工ロボット１００は、流動性を有するゴムと、粒状の遮蔽材とを交互に配管２に対して吹き付けることで、遮蔽体１０を施工するようになっている。ここで、本実施形態では、ゴムは、遮蔽材を配管２に接着固定させるための接着剤として使用される。また、本実施形態では、遮蔽材は放射線を遮蔽するものであり、タングステンや鉄等の放射線を遮蔽する金属材料である。この遮蔽材は、本実施形態では、粒径の異なる遮蔽材を含んで構成されている。
【００２１】
ゴム吹き付け装置１０２は、吹き付けられるゴムの原料となる液体ゴムの容器１０２ａと、液体ゴムを配管２の表面で硬化させるための硬化剤の容器１０２ｂと、液体ゴム及び硬化剤とを混合した後加圧してゴム吹き付けノズル１０１を通じて配管２に吹き付ける加圧マニホールド１０２ｃとを備えている。さらに、ゴム吹き付け装置１０２は、容器１０２ａ内の液体ゴムを加圧マニホールド１０２ｃに圧送する圧送装置１０２ｄと、容器１０２ｂ内の硬化剤を加圧マニホールド１０２ｃに圧送する圧送装置１０２ｅとを備えている。加圧マニホールド１０２ｃ及び圧送装置１０２ｄ，１０２ｅの各条件（圧力や圧送速度、混合割合等）を変更することで、吹き付けられるゴムの量や硬化条件等が適宜変更可能になっている。なお、本実施形態では、吹き付け後、常温にて１時間程度でゴムがほぼ硬化する条件になっている。
【００２２】
遮蔽材吹き付け装置１０４は、遮蔽材を貯蔵する遮蔽材タンク１０４ａと、遮蔽材吹き付けノズル１０３を通じて遮蔽材を配管２に吹き付ける圧送装置１０４ｂとを備えている。圧送装置１０４ｂの条件（圧力や圧送速度等）を変更することで、配管２表面に吹き付けられる遮蔽材の量が適宜変更可能になっている。
【００２３】
また、図示はしないが、施工ロボット１００には、レーザー光等を用い、施工ロボット１００と配管２との間の距離を測定するとともに、室内１での各構造物の配置を把握する装置が備えられている。また、図示はしないが、配管２に対する吹き付け状態を確認可能なカメラも備えられている。さらに、図示はしないが、施工ロボット１００には、室内１の放射線量を測定する放射線量測定装置が備えられている。そして、詳細は後記するが、これらの装置により測定された値に基づき、ゴム及び遮蔽材の吹き付けが制御されるようになっている。
【００２４】
なお、施工ロボット１００は、作業員の指示操作に基づき、図示しない演算制御部によって駆動されるようになっている。演算制御部は、例えばＣＰＵ（Central Processing Unit）、ＲＯＭ（Read Only Memory）、ＲＡＭ（Random Access Memory）、ＨＤＤ（Hard Disk Drive）等を備え、ＲＯＭに展開されている所定のプログラムがＣＰＵによって実行されることにより具現化される。
【００２５】
次に、図２を参照しながら、遮蔽体１０の施工方法を説明する。
【００２６】
図２は、本実施形態の遮蔽体１０の施工方法を説明するフローチャートである。演算制御部（図示しない）には、遮蔽体１０の厚さに対する放射線量の低下割合の関係がデータベース化されて、予め記憶されている。具体的には、遮蔽体１０が厚くなればなるほど、放射線量の低下割合が大きくなるという関係がデータベース化されて記憶されている。この関係は、予め実験等により決定可能である。
【００２７】
まず、演算制御部は、放射線量測定装置（図示しない）により、室内１の放射線量を測定する（ステップＳ１０１）。そして、演算制御部は、測定された放射線量を、作業員が作業可能になる基準値まで低下させるために必要な放射線量の低下割合を決定する。そして、演算制御部は、決定された低下割合に対応する遮蔽体１０の厚さを、予め記憶されたデータベースから読み出し、決定する（ステップＳ１０２）。その後、確認用のカメラを用いて吹き付け状態を確認しながら、遮蔽体１０の厚さが決定された厚さになるまで、図１に示した配管２の全体に、ゴム及び遮蔽材を交互に塗布する（ステップＳ１０３）。ここで、ゴム及び遮蔽材を交互に塗布する際の様子を、図３を参照しながら説明する。
【００２８】
図３は、本実施形態の遮蔽体１０の施工方法を説明する図であり、（ａ）は一回目のゴムの吹き付け時の様子、（ｂ）は一回目の遮蔽材の吹き付け時の様子、（ｃ）は二回目のゴムの吹き付け時の様子、（ｄ）は二回目の遮蔽材の吹き付け時の様子を示す図である。図３においては、ゴムは符号１０ａで示し、遮蔽材は符号１０ｂで示している。
【００２９】
まず、図３（ａ）に示すように、ゴム吹き付けノズル１０１から、配管２に対してゴムが吹き付けられる。そして、演算制御部は、アーム１０５を伸縮させることで、配管２の全体がゴムによって覆われるように、ゴム吹き付けノズル１０１を移動させる。これは、以降の工程においても同様である。これにより、配管２の全体がゴムによって覆われ、ゴムの層が形成されることになる。
【００３０】
そして、配管２の全体がゴムによって覆われた後、ゴムが硬化する前に（好ましくはゴムの吹き付け後すぐに）、図３（ｂ）に示すように、遮蔽材吹き付けノズル１０３から粒状の遮蔽材が配管２のゴムで覆われた表面に吹き付けられる。このとき、流動性を有するゴムは弾力性と粘着性とを有するため、ゴムで覆われた配管２に遮蔽材が吹き付けられても、吹き付けられた遮蔽材は配管２によって跳ね返ることなく、流動性を有するゴムに付着する。より具体的には、遮蔽材はある程度の速度を有してゴムの層に接触するため、吹き付けられた遮蔽材は、ゴムの層の中に埋もれることになる。そして、その後も遮蔽材は吹き付けられ続けるため、吹き付けられた遮蔽材は、ゴムを接着剤として、ゴムの層の表面近傍に堆積していくことになる。このようにして、遮蔽材の層が形成される。そして、ゴムは、遮蔽材が吹き付けられつつ次第に硬化していくため、付着した遮蔽材は、硬化したゴムによって、配管２の表面に固定されることになる。
【００３１】
ゴムが硬化して遮蔽材が配管２に固定された後、再び、図３（ｃ）に示すように、ゴムがゴム吹き付けノズル１０１によって配管２の表面に吹き付けられる。このとき、配管２には、硬化したゴムによって遮蔽材が固定されているため、固定された遮蔽材の外側からゴムが吹き付けられることになる。そして、ゴムが新たに吹き付けられることで、配管２に固定された遮蔽材を覆うように、新たにゴムの層が形成される。
【００３２】
そして、図３（ｄ）に示すように、新たに形成されたゴムの層に対して、遮蔽材吹き付けノズル１０３によって遮蔽材が再び吹き付けられる。これにより、図３（ｂ）を参照しながら説明した内容と同様にして、配管２の表面に遮蔽材が固定されて、遮蔽材の層が形成されることになる。その後、図３の工程、即ちゴムの吹き付け工程と遮蔽材の吹き付け工程とが繰り返されることで、遮蔽体１０が施工される。ここで、図４を参照しながら、施工された遮蔽体１０の構造について説明する。
【００３３】
図４は、本実施形態の施工方法により施工された遮蔽体１０の断面図である。図３と同様に、ゴムは符号１０ａで示し、遮蔽材は符号１０ｂで示している。また、図示の簡略化のために、ゴム１０ａの層と、遮蔽材１０ｂの層とは、いずれも二層ずつ示している。さらに、図４は模式図であり、現実の層構成とは異なることがある。
【００３４】
図４において、配管２の表面に形成されているゴム１０ａの層は、前記の図３（ａ）に示した工程において形成されたものである。そして、このゴム１０ａの層の外表面に形成されている遮蔽材１０ｂの層は、図３（ｂ）に示した工程において形成されたものである。遮蔽材１０ｂ同士は、図４では図示していないが、ゴム１０ａにより接着固定されている。また、図４に示すように、遮蔽材１０ｂの粒径が異なっている。そのため、近接する遮蔽材１０ｂの粒子同士の間隙（図４では図示していない）ができるだけ小さくなるように遮蔽材１０ｂが密に固定され、遮蔽効果が高められるようになっている。
【００３５】
そして、この遮蔽材１０ｂの層のさらに外側に、ゴム１０ａの層を介して、遮蔽材１０ｂの層が形成されている。このとき、二つの遮蔽材１０ｂの層の間には、十分な厚さのゴム１０ａの層が形成されている。そのため、遮蔽材１０ｂを複数層に亘って強固に積層することができ、遮蔽体１０の剥離を抑制し、耐久性を向上させることができるようになっている。
【００３６】
このように、本実施形態によれば、様々な形状や構造等の被遮蔽体に対し、放射線等の遮蔽が可能な遮蔽体１０を施工することができる。即ち、図１に示したように、移動自在なゴム吹き付けノズル１０１及び遮蔽材吹き付けノズル１０３を用いて、配管２等の所望の位置に遠隔で、ゴム及び遮蔽材を吹き付けることができる。そのため、吹き付けるための治具を被遮蔽体に設置する必要がなく、施工対象である被遮蔽体の形状や構造、施工場所等に制限がない。これは、例えば天井に対して遮蔽体を設置する等、治具の設置が特に困難なときに有利である。これにより、どのような被遮蔽体であっても、良好に遮蔽体１０を施工することができる。
【００３７】
また、ノズルの位置を変えるだけで、遮蔽体１０の面積や密度を容易に変更可能である。具体的には、被遮蔽体に対してより遠いところから吹き付ければ、より広範な面積の遮蔽体１０を一度で施工することができるし、より近いところから吹き付ければ、より高密度の遮蔽体１０を一度で施工することができる。従って、被遮蔽体の面積や放射線量に応じて、遮蔽体１０を容易に施工することができる。
【００３８】
さらに、ゴムを用いることで、ゴムの層を厚くし易い。そのため、遮蔽材を吹き付けた後でゴムを十分に吹き付けると、既に吹き付けられた遮蔽材は、十分な厚さを有するゴムの層により完全に覆われることになる。そのため、この部分の全体に新たに遮蔽材を吹き付けて固定することができ、固定させる遮蔽材の量を十分なものとすることができる。これにより、遮蔽効果を高めることができる。
【００３９】
また、はじめにゴムを吹き付け、その後に遮蔽材を吹き付けているため、弾力性のあるゴムに対して遮蔽材が吹き付けられていることになる。そのため、遮蔽材の運動エネルギはゴムに衝突したときにゴムに吸収され、遮蔽材が被遮蔽体から跳ね返ってしまうことを抑制することができる。これにより、ゴムに対して効率よく遮蔽材を固定することができる。特に、前記のように、ゴムを用いることでゴムの層の厚みを増し易くすることができるため、弾力性をより大きなものとすることができ、この利点を十分に発揮させることができる。
【００４０】
さらに、ゴムと遮蔽材とを別々に吹き付けているため、吹き付けられた遮蔽材が垂れにくい。即ち、もしゴムと遮蔽材とを混合していれば、混合物の比重がゴムよりも重いため、混合物を吹き付けた場合には遮蔽材が垂れてき易く、施工される遮蔽体１０の厚さにムラが生じることがある。しかし、本実施形態では、ゴムと遮蔽材とを別々に吹き付けているため、遮蔽材が垂れにくく、遮蔽材密度のムラの少ない遮蔽体１０を施工することができる。
【００４１】
また、ゴムは流動性を有する軽い材料であり、遮蔽材は粒状の材料であるため、ノズルから飛ばし易いという利点がある。即ち、もし、ゴムと遮蔽材との混合物を吹き付けようとするとき、混合物は、ゴムの流動性と重い金属材料との相互作用によって飛びにくくなって吹き付けを制御しづらくなり、所望の場所に吹き付けられないことがある。しかしながら、本実施形態のように、これらを別々に吹き付けるため、これらを吹き付けるときの挙動を制御し易く、所望の場所に容易に吹き付けることができる。また、吹き付けた後も、ゴム中に遮蔽材が分散した遮蔽体ではなく、ゴムと遮蔽材との多層構造の遮蔽体１０とすることで、被遮蔽体から剥離しにくいという利点もある。
【００４２】
さらに、ゴムと遮蔽材とを別々に吹き付けるため、被遮蔽体からの例えば放射線量に応じて、任意に遮蔽材の層数を変更することができる。具体的には、例えば放射線量が高いときには、遮蔽材の層と、遮蔽材を固定するゴムの層とを多く含む遮蔽体１０とすればよく、放射線量がそれほど高くないときにはこれらをそれほど多くは含まない遮蔽体１０とすればよい。前記のように、本実施形態の遮蔽体１０は剥離しにくいため、遮蔽材の層が多層になった場合でも、剥離しにくく、しかも良好に遮蔽可能な遮蔽体１０を施工することができる。
【００４３】
また、吹き付ける遮蔽材は、粒径の異なる遮蔽材を含んで構成されている。そのため、遮蔽材を吹き付けたときの遮蔽材同士の隙間を低減することができ、より良好な遮蔽効果を有する遮蔽体１０とすることができる。また、粒径の異なる遮蔽材がゴムに固定されることにより、表面に凹凸を設けることができる。そして、この凹凸のある表面に新たなゴムを吹き付けると、この凹凸により、ゴムと遮蔽材との接着強度を向上させることができる。これにより、より剥離しにくい遮蔽体１０を施工することができる。
【００４４】
以上、本実施形態を説明したが、前記の実施形態以外にも、以下の実施形態とすることもできる。即ち、前記の実施形態では、図４に示すように、同種の遮蔽材（粒径は異なる）を用いたが、複数種の遮蔽材を用いることもできる。このような形態は、例えば放射線（例えばγ線）と中性子との双方を遮蔽することを望む場合に特に有効である。
【００４５】
図５は、本実施形態の施工方法により施工される別の遮蔽体の断面図である。配管２の表面にゴム１０ａ及び遮蔽材１０ｂが一層ずつと、この遮蔽材１０ｂの層の外側にさらにゴム１０ａの層が設けられていることは、図４に示した形態と同様である。ただし、図５に示す形態では、遮蔽材１０ｂとは異なる遮蔽材１０ｃの層が設けられている。
【００４６】
遮蔽材１０ｂは、γ線を遮蔽するタングステン等であり、遮蔽材１０ｃは、中性子を吸収するホウ素やナイロン粒子等である。このように、異なる種類の遮蔽材（遮蔽材１０ｂ，１０ｃ）をゴム１０ａにより複数層積層することで、前記の各効果に加えて、異なる種類のものを遮蔽することができるという利点がある。
【００４７】
さらに別の実施形態として、前記の実施形態では、配管２に対してはじめにゴムを吹き付けているが、配管２の表面改良の目的で、はじめに金属材料からなる遮蔽材を吹き付けるようにすることもできる。即ち、遮蔽材吹き付けノズル１０３は、前記のように、吹き付けられたゴムに対して遮蔽材を吹き付けるものであるが、遮蔽材吹き付けノズル１０３から配管２表面に直接、遮蔽材を構成する金属材料を高速で衝突させることで、ショットピーニングを行うことができる。これにより、配管２の耐久性の向上や、配管２の表面に凹凸ができることによる遮蔽体１０との接合強度の向上を図ることができる。
【００４８】
他にも、前記の実施形態に対して、本発明の要旨を変更しない範囲内で任意に変更を加えて実施可能である。
【００４９】
例えば、前記の実施形態では放射線や中性子の遮蔽を行っているが、たとえば太陽光を遮蔽するような遮蔽材を用いてもよい。具体的には例えば、遮蔽材として紫外線吸収剤を用いることで、遮蔽体１０によって紫外線を遮蔽することができる。これにより、被遮蔽体の耐候性を向上させることができる。
【００５０】
また、例えば、前記の実施形態では、被遮蔽体として原子力設備の構造物としての配管２（図１参照）を例に挙げているが、被遮蔽体はこれに限られるものではない。従って、遮蔽体１０が施工される被遮蔽体は原子力設備の構造物であって配管２以外の任意の構造物であってもよく、また、原子炉設備の構造物以外のものであってもよい。具体的には例えば、被遮蔽体として家の外壁とし、当該外壁に遮蔽体１０を設けることで、外部からの放射線や中性子、紫外線等を遮蔽し、室内へのこれらの侵入を抑制することができる。
【符号の説明】
【００５１】
２  配管（被遮蔽体）
１００  施工ロボット（施工装置）
１０１  ゴム吹き付けノズル
１０２  ゴム吹き付け装置（施工装置）
１０３  遮蔽材吹き付けノズル
１０４  遮蔽材吹き付け装置（施工装置）
１０５  アーム（支持部材）
２００  施工装置
１０  遮蔽体
１０ａ  ゴム
１０ｂ  遮蔽材
１０ｃ  遮蔽材
【図１】
2015055616.tif 000003
【図２】
2015055616.tif 000004
【図３】
2015055616.tif 000005
【図４】
2015055616.tif 000006
【図５】
2015055616.tif 000007